(57)【特許請求の範囲】
【請求項１】
吹き口、歌口及び指穴を備えている空洞状の本体に対し、
吹き口と、この吹き口から吹き入れられる息の進行方向に沿って形成される歌口、指穴及び開口端を備えた管状の少なくとも１体の副体を付属させる複数管オカリナにおいて、
前記オカリナの平面に、前記本体及び副体の指穴を備え、
前記オカリナの底面に、前記本体及び副体の歌口及び親指を受け持つ指穴を備え、
前記副体は、前記息の進行方向に沿って形成されるウインドウエイの端部から前記開口端まで、細長い筒型の管状に形成されていると共に、
前記オカリナの一方の側面に、前記本体及び副体の吹き口を設け、この吹き口から息が直線的に吐き出される前記開口端を他方の側面に設けることを特徴とする複数管オカリナ。
【請求項２】
本体の指穴は、副体の指穴に対して上下方向に、且つ、略平行状に形成されていることを特徴とする請求項１に記載の複数管オカリナ。
【発明の詳細な説明】
【技術分野】
【０００１】
本発明は、シングル管に少なくとも１つのオカリナを連結させた複数管オカリナに関する。
【背景技術】
【０００２】
オカリナ（オカリーナ）は、壺状の本体に、息を吹き込む吹き口と、この吹き口から吹き込まれた息が当るエッジを備えた歌口と、音程を調節するための指穴を備えている（本書においてシングル管とも称する）。
かかるオカリナは、吹き口に息を吹き入れるだけで音が出せ、その音は素朴で、まろやかな音色となるもので、壺状楽器（ベッセルフルート）に分類され、またその外観から閉管とも解釈される。
オカリナの音域は、指穴の数により左右されるもので、例えば１オクターブ半程度の、音域が狭いことも特徴となっている。
【０００３】
このようなオカリナの特徴を修正しようとするものが、複数管オカリナで、シングル管に、少なくも１つのオカリナを連結させている。
かかる複数管オカリナとして、特許文献１には「２オクターブオカリナ」が開示されている。
【先行技術文献】
【特許文献】
【０００４】
【特許文献１】実開昭６３−１０５１８７号公報
【０００５】
かかる複数管オカリナでは、シングル管に１つのオカリナを連結して付属させたことにより、音域の幅を拡げることができるものの、息の流れは、各オカリナの各空洞内に流れて、その内部に留まるもので、閉管楽器としての性格を維持しているものである。
【発明の概要】
【発明が解決しようとする課題】
【０００６】
そこで、本発明は、複数管オカリナに開管としての性格を付与できるにようにして、オカリナの音質の向上を図ることを目的とする。
【課題を解決するための手段】
【０００７】
本発明は、吹き口、歌口及び指穴を備えている空洞状の本体に対し、吹き口と、この吹き口から吹き入れられる息の進行方向に沿って形成される歌口、指穴及び開口端を備えた管状の少なくとも１体の副体を付属させる複数管オカリナにおいて、前記オカリナの平面に、前記本体及び副体の指穴を備え、前記オカリナの底面に、前記本体及び副体の歌口及び親指を受け持つ指穴を備え、前記副体は、前記息の進行方向に沿って形成されるウインドウエイの端部から前記開口端まで、細長い筒型の管状に形成されていると共に、前記オカリナの一方の側面に、前記本体及び副体の吹き口を設け、この吹き口から息が直線的に吐き出される前記開口端を他方の側面に設けることを特徴とする複数管オカリナとした（請求項１に記載の発明）。
【０００８】
本体及び副体において、指穴（トーンホール）の形態、その数は任意である。
また、本体及び副体において、調律のための調整穴を設けてもよい。
本体及び副体の材質は、素焼等の陶器、プラスチック等、特に限定されるものではない。
【０００９】
本体の指穴は、副体の指穴に対して上下方向に、略平行状に形成されていることを特徴とする複数管オカリナとした（請求項２に記載の発明）。
【発明の効果】
【００１０】
本発明の複数管オカリナは、本体に付属される副体の吹き口から吹き込まれる息が、その内部に留まることなく、開口端から外に排出されることから、開管としての性格が付与されている。
【００１１】
また、本体の指穴は、副体の指穴に対して上下方向に、略平行状に形成されているので、指使い（運指）が容易で、演奏し易い。
【図面の簡単な説明】
【００１２】
【図１】図１は、実施例１に係る複数管オカリナの斜視図、
【図２】図２は、同平面図、
【図３】図３は、同底面図、
【図４】図４は、同側面図、
【図５】図５は図４に図示したＡ−Ａ線矢視断面図、
【図６】図６は、実施例２に係る複数管オカリナの平面図である。
【発明を実施するための形態】
【００１３】
本発明に係る複数管オカリナは、吹き口、歌口及び指穴を備えている空洞状の本体に対し、一端に吹き口を設け、他端に開口端を設け、その間に歌口及び指穴を設けた管状の副体を付属させて構成されている。
【実施例１】
【００１４】
実施例に係るオカリナ１は、図１〜図５に示したように、吹き口２０と、歌口２１と、指穴２２ａ〜２２ｋを備えている空洞状の本体２に、１つの副体３を付属させた複数管オカリナ（以下、ダブル管とも称する）である。
前記副体３は、図５のように、開管状に形成されるもので、その一端に息を吹き込む吹き口３０を設け、この吹き口３０から吹き込まれた息が当るエッジを備えた歌口３１と、吹き入れられる息の進行方向に沿って形成されるウインドウエイ３２に沿うように音程を調節するための指穴３３ａ〜３３ｅ（図２も参照）を設け、他端に開口端３４を備えたものである。
【００１５】
図２のように、ダブル管１の表には、本体２用の指穴２２ｂ〜２２ｋとこれらの指穴に対し、上下方向において、略平行に、副体３用の指穴３３ｂ〜３３ｅが形成されている。
この内、指穴２２ｄと同２２ｅは、左手の薬指用の指穴であって、薬指の指の腹に対応させた浅いくぼみを形成し、その指先側は薬指の指先の腹形状にほぼ沿った形状に湾曲させ、そこに指先側の薬指穴２２ｅを設け、指元側寄りに薬指穴２２ｄを設けている。
【００１６】
ダブル管１の裏には、図３のように本体２の歌口２１及び指穴２２ａと、副体３の歌口３１及び指穴３３ａが設けられている。
【００１７】
ダブル管１の側面には、図４のように本体２用の吹き口２０と、副体３用の吹き口３０が設けられている。
【００１８】
図５のように、副体３は、前記ウインドウエイ３２の端部から開口端３４まで、細長い管状に形成されているが、その形態は、本実施例１のような丸型（筒型）のものでもよいし、半円型、楕円型、星型、ハート型でもよい。
【００１９】
上記副体３の作用は、次のようである。
吹き口３０から吹き込まれた息は、歌口３１のエッジ３１ａにあたり、その気流の力により、管内で空気の粗密波（縦波）が生成され、指穴の開閉に対応した音波が発生し、開口端３４等から放出される。
かかる作用は、リコーダ等の開管楽器と同様なもので、息は、吹き口３０から開口端３４まで、直線的に吐き出されるため、その気流のよどみがなく、音量が増し、音質も非常に澄み切った倍音が生成される。
【００２０】
以上のように構成されたダブル管１では、本体２を奏でるときには、吹き口２０から息を吹き入れ、副体３を奏でるときは、吹き口３０から息を吹き入れる。
奏者の左手の親指、人差指、中指、薬指及び小指が、それぞれ指穴２２ａ、２２ｂ、２２ｃ、２２ｄ及び２２ｅ、２２ｆを受け持つと共に、右手の人差指、中指、薬指及び小指が、それぞれ指穴２２ｇ、２２ｈ及び２２ｉ、２２ｊ、２２ｋを受け持つ。
また、奏者の右手の親指、人差指、中指、薬指及び小指が、それぞれ指穴３３ａ、３３ｂ、３３ｃ、３３ｄ及び３３ｅを受け持つこととなる。
【００２１】
上記構成にかかるダブル管の効果は、次のようである。
（１）  従来の閉管型の複数管オカリナに対し、開管的な要素を付け加えることができ、格段に音質が優れ、音量も増すことができるダブル管１を提供することができる。
（２）  本体２に付属させた副体３が、開管的な要素を発揮するもので、オカリナであっても、容易に倍音を生成させることができる。
（３）  管状に形成されている副体３の指穴３３ｂ〜３３ｅと本体２の指穴２２ｇ〜２２ｋとは、上下方向において、略平行状態に位置しているので、指穴３３ａを受け持つ右手の親指が支点となり、運指が容易である。
（４）  吹き口２０、３０に対し、本体２の指穴２２ｂ〜２２ｆと指穴２２ｇ〜２２ｋも、上下方向において、略平行状態に位置しているので、運指が容易である。
【実施例２】
【００２２】
実施例２に係る複数管オカリナ１Ａは、図６に図示されているように、上記構成の本体２に、上記副体３と略同一構成であって、それぞれ開口端３４Ａ、開口端３４Ｂを備えた副体３Ａ、副体３Ｂを付属させて構成されている（以下、トリプル管とも称する）。
かかるトリプル管の本体２、副体３Ａ及び副体３Ｂにおいても上記ダブル管１と同様な作用効果を奏することができる。
【実施例３】
【００２３】
図示は省略するが、実施例３に係るオカリナもトリプル管であって、上記構成の本体２に、この本体２と略同一構成の副体と、上記副体３と略同一構成の副体をそれぞれ付属させて構成されている。
この構成においても上述のような作用効果を奏することができる。
【００２４】
本体に付属させる副体は、少なくとも１体のダブル管或いは２体のトリプル管等、その付属させる副体の数に限定されるものではない。
【００２５】
本発明は以上説明した実施例に限定されるものではなく、多くの変形が本発明の技術的思想内で当分野において、通常の知識を有する者により可能である。
【符号の説明】
【００２６】
１  １Ａ  オカリナ
２  本体                                ２０  吹き口
２１  歌口                              ２２ａ〜２２ｋ  指穴
３  副体                                ３０  吹き口
３１  歌口                              ３２  ウインドウエイ
３３ａ〜３３ｅ  指穴                    ３４  ３４Ａ  ３４Ｂ  開口端
３１ａ  エッジ
【図１】
0005848967.tif 000002
【図２】
0005848967.tif 000003
【図３】
0005848967.tif 000004
【図４】
0005848967.tif 000005
【図５】
0005848967.tif 000006
【図６】
0005848967.tif 000007